(57)【特許請求の範囲】
【請求項１】
花弁形状のフード部を備えたレンズ鏡筒に着脱可能なレンズキャップにおいて、
前記フード部に係合し、前記フード部に対して前記レンズキャップを保持させる第１及び第２爪部と、
前記レンズキャップの内径部に形成され、前記フード部に装着される際に前記フード部側を向くように設けられた面と前記面から前記第１及び第２爪部に向かってそれぞれ傾斜した第１及び第２傾斜面とを有し、前記フード部に装着された際に前記レンズキャップの回転を規制する回転規制部と、を備えることを特徴とするレンズキャップ。
【請求項２】
前記フード部に前記レンズキャップを装着する際に前記フード部に対する前記レンズキャップの回転位相がずれていた場合、前記面または前記第１傾斜面または前記第２傾斜面が前記フード部の先端部に当接することを特徴とする請求項１に記載のレンズキャップ。
【請求項３】
前記第１及び第２爪部は、前記フード部の内径部に設けられた係合部に係合することを特徴とする請求項１または２に記載のレンズキャップ。
【請求項４】
前記フード部の先端部が前記レンズキャップに当接していることを確認するための切り欠き部を備えることを特徴する請求項１乃至３のいずれか１項に記載のレンズキャップ。
【請求項５】
前記花弁形状のフード部は、撮影画面の長辺に相当する部分を遮光する１対の長辺部と撮影画面の短辺に相当する部分を遮光する１対の短辺部とを有し、
前記１対の長辺部に対して前記第１及び第２爪部がそれぞれ係合することを特徴とする請求項１乃至４のいずれか１項に記載のレンズキャップ。
【発明の詳細な説明】
【技術分野】
【０００１】
本発明は、花弁フードを備えたレンズ鏡筒に装着可能なレンズキャップに関するものである。
【背景技術】
【０００２】
超広角レンズにおいて、画面外の有害な光線を遮光し、かつ矩形対角方向にケラレ等が生じることがないよう、レンズ鏡筒先端に設けられたフード形状を花弁形状にすることはよく知られている。
【０００３】
しかし、花弁フードが固定されたレンズ鏡筒は、花弁フードが切り込み部を有するため、通常のレンズ鏡筒にように、フィルタやレンズキャップ等のアクセサリを装着するためのネジを、花弁フードの内径全周に設けることはできない。そのため、特に、レンズ鏡筒の被写体側の先端部に装着するレンズキャップに関しては、プラスチック製や金属製、革製等の被せキャップを使用するのが通常であった（例えば、特許文献１参照）。
【０００４】
また、花弁フードの外周部にスライドリングを慨装し、スライドリング先端部にレンズ
キャップを装着可能とする機構が提案されている（例えば、特許文献２参照）。
【特許文献１】特開２００２‐２４４１７９号公報
【特許文献２】特開２００５−３４５９０２号公報
【発明の開示】
【発明が解決しようとする課題】
【０００５】
従来の金属製、もしくはプラスチック製の被せキャップは、レンズキャップ内周部に設けられた植毛紙等の弾性部材により、レンズ鏡筒外周部に対し弾性保持していたが、繰り返し使用において保持力が低下してしまうという問題があった。また、革製の被せキャップは簡易に着脱できないものが多く、扱いにくいこと等が問題であった。
【０００６】
さらに、特許文献２のようなスライドリングを設けた構成では、レンズ鏡筒外径が大きくなるという問題がある。
【０００７】
本発明は、繰り返し、または経時使用においても保持力が低下せず、確実にレンズ鏡筒に装着可能であり、さらにレンズ鏡筒の外径を大型化することなく、レンズを傷や汚れから保護する、花弁フードを備えたレンズ鏡筒に装着可能なレンズキャップを提供するものである。
【課題を解決するための手段】
【０００８】
上記課題を解決するために本発明は、花弁形状のフード部を備えたレンズ鏡筒に着脱可能なレンズキャップにおいて、前記フード部に係合し、前記フード部に対して前記レンズキャップを保持させる第１及び第２爪部と、前記レンズキャップの内径部に形成され、前記フード部に装着される際に前記フード部側を向くように設けられた面と前記面から前記第１及び第２爪部に向かってそれぞれ傾斜した第１及び第２傾斜面とを有し、前記フード部に装着された際に前記レンズキャップの回転を規制する回転規制部と、を備える。これにより、花弁形状のフード部を備えたレンズ鏡筒に対して、レンズキャップの取り付け位相が定められる。
【０００９】
また、爪部が前記フード内径部に設けられた係合部に係合することで、レンズキャップが確実にレンズ鏡筒に装着でき、また繰り返し使用でも保持力を維持することができる。
【００１０】
さらに、前記フード部の先端部がレンズキャップに当接していることを確認する為の切り欠き部を備えたことにより、レンズキャップが確実にレンズ鏡筒に装着されている状態を容易に確認できる。
【発明の効果】
【００１１】
本発明によれば、レンズ鏡筒外径が大型化することなく、繰り返し、または経時使用にて保持力が低下せず、確実に装着可能な、花弁フードを備えたレンズ鏡筒用のレンズキャップを提供することができる。
【発明を実施するための最良の形態】
【００１２】
以下、本発明の好ましい実施例について図面を参照しながら説明する。
【実施例】
【００１３】
図１は、本発明の実施例のレンズキャップにおいて、固定筒１にレンズキャップ２を装着した状態の断面図である。図２は、本発明の実施例のレンズキャップをレンズ鏡筒側から見た図である。図３は、固定花弁フードの先端形状の傾斜図である。図４は、本発明の実施例のレンズキャップにおいて、レンズキャップ装着状態の斜図である。
【００１４】
これらの図において、本実施例のレンズ鏡筒は、固定筒１と、レンズキャップ２と、距離リング３とを備えている。
【００１５】
固定筒１は、金属やプラスチック等によって形成された略円筒形の部材であり、その中心が光軸と一致するように設けられ、フード部１１と、マウント部１２と、レンズＬ１、Ｌ２、Ｌ３とを備えている。
【００１６】
フード部１１は、図３にも示すように、長辺部１１ａ、短辺部１１ｂ、切り込み部１１ｃを有する花弁形状のフード部であり、固定筒１の被写体側先端部に、固定筒１と一体成形又は別部材を固定することにより設けられている。
【００１７】
長辺部１１ａは、撮影画面の長辺に相当する部分を遮光する１対の部分であり、短辺部１１ｂは、撮影画面の短辺に相当する部分を遮光する１対の部分である。
【００１８】
切り込み部１１ｃは、撮影画面の対角線方向に相当する部分に設けられ、図１に示したように、このレンズ鏡筒の最大画角を表す光線ｍを遮らないように、光線ｍよりもカメラ側に設けられている。
【００１９】
レンズＬ１、Ｌ２、Ｌ３は、固定筒１の内部に設けられた撮影光学系である。レンズＬ１は最も被写体側に配置され、レンズＬ２、レンズＬ３と順にカメラ側（マウント部１２側）へと配置されている。
【００２０】
また、レンズＬ１は固定されており、レンズＬ２、Ｌ３は、後述の距離リング３を回転させることにより光軸方向に移動するように設けられている。
【００２１】
マウント部１２は、固定筒１のカメラ側に設けられ、不図示のカメラボディのカメラマウント部にレンズ鏡筒を着脱可能に装着する。
【００２２】
距離リング３は、固定筒１の外周部に、光軸を中心として回転可能に設けられた略円筒形の部材であり、距離リング３を回転させることにより、レンズＬ２、Ｌ３は、固定筒１内を光軸方向に移動し、被写体像の焦点を合わせることができる。
【００２３】
レンズキャップ２は、略円筒形のキャップであり、例えば一方の端面に付勢部材により径方向外側に付勢させた一対の爪部２ａが設けられ、その爪部２ａが雌ネジ１１ｄに係合することにより、固定筒先端部１１ｅに着脱可能に装着されるスナップ式キャップである。
【００２４】
図２、図３に示したように、レンズキャップ２の内径部には、固定筒１のフード切り欠き部１１ｃに沿った一対の花弁形状２ｂが一体成形又は別部材を固定する等により設けられている。
【００２５】
レンズキャップ２を装着するときに、使用者はフードの切り込み部１１ｃと、レンズキャップ２の内径部に形成された回転規制形状としての花弁形状２ｂとの位相が一致する位置にて、爪部２ａがフードの内径部に係合部として形成された雌ネジ１１ｄに係合保持させることにより、レンズキャップ２を装着することができる。
【００２６】
この時、フードの切り込み部斜面１１ｆとレンズキャップ内径部の花弁形状斜面２ｃとは回転方向にて当接しているため、レンズキャップ２が回転して爪部２ａがフード切り込み部２ｃに落ち込み、レンズキャップ２が外れることがない。つまり、これらの回転位相が規制された状態となる。
【００２７】
また、使用者が、フードの切り込み部１１ｃとレンズキャップ内径部の花弁形状２ｂの位相がずれた状態でレンズキャップ２を装着しようとした際、フードの切り込み部斜面１１ｆとレンズキャップ内径部の花弁形状斜面２ｃと当接し、回転方向に移動する。
【００２８】
したがって、使用者はフードの切り込み部１１ｃとレンズキャップ内径部の花弁形状２ｂの位相を厳密に合わせる必要なく、容易にキャップ装着可能な位相まで回転可能である。
【００２９】
図４に示したように、レンズキャップ２をフード１１に装着した際、レンズキャップ２に設けられた切り欠き部としての切り欠き形状２ｄを介して、一対の爪部２ａが雌ネジ１１ｄに確実に係合されていることを使用者が確認することができる。
【００３０】
また、レンズキャップ内径部の花弁形状２ｂの位相に一致した、外径部つまみ形状２ｅを有することで、使用者がレンズキャップ２をフード部１１に装着する際の組み込み位相の目安となる。
【００３１】
なお、上述した実施例では、レンズキャップ内径部の回転規制形状として花弁形状２ｂを設けたが、図５に示すように、回転規制形状は、フード切り欠き部１１ｃに当接する形状であれば、リブ形状２ｆをレンズキャップ２に設ける構成でもよく、またボス形状であってもよい。
【図面の簡単な説明】
【００３２】
【図１】実施例のキャップ装着状態における断面図
【図２】レンズキャップ形状を説明する図
【図３】フード形状を説明する図
【図４】レンズキャップ装着状態を説明する図
【図５】回転規制形状の他の実施例を説明する図
【符号の説明】
【００３３】
１  固定筒
１１  フード部
１１ａ  長辺部
１１ｂ  短辺部
１１ｃ  切り欠き部
１１ｄ  雌ネジ
１１ｅ  固定筒先端部
１１ｆ  フードの切り込み部斜面
１２  マウント部
２  レンズキャップ
２ａ  爪部
２ｂ  花弁形状
２ｃ  花弁形状斜面
２ｄ  キャップ切り欠き部
２ｆ  リブ形状
３  距離リング
【図１】
0005159334.tif 000002
【図２】
0005159334.tif 000003
【図３】
0005159334.tif 000004
【図４】
0005159334.tif 000005
【図５】
0005159334.tif 000006